(57)【要約】【課題】携帯端末の利用者が、自分の現在いる場所に関する情報を取得しようとしたとき、利用者側ではあらかじめその場所に関連した情報を準備する必要がなく、また、現在地とは別の場所で時々刻々と状況が変化する情報を取得可能な情報受発信システムを提供する。【解決手段】対象物の位置に応じた情報をホストコンピュータで管理し、携帯端末の所有者が、対象物の位置に応じた情報を得ることができるように構成されている。例えば、携帯端末の所有者は、広告看板に近づき位置検出手段を用いて位置情報を、ホストコンピュータに送信する。ホストコンピュータは、受信した携帯端末の位置情報をもとに、あらかじめ記憶している位置情報に関連付けられた広告を特定し、この広告に関する情報を携帯端末に発信する。【選択図】　図１
2004032037.tif 000002
【特許請求の範囲】
【請求項１】
公衆通信網と無線接続可能な携帯端末と、前記公衆通信網に接続して前記携帯端末と通信可能であり、対象物の位置に応じた情報を格納する情報処理装置とを備え、前記携帯端末からの要求によって該情報処理装置から前記対象物の位置に応じた情報を得ることを特徴とする情報受発信システム。
【請求項２】
公衆通信網と無線接続可能な携帯端末と、前記携帯端末に内蔵、または接続されている位置検出手段と、前記公衆通信網に接続して前記携帯端末と通信可能であり、所定の情報と前記所定情報の存在を表示している表示手段の位置情報とを対応させて記憶している情報処理装置とを備え、
前記表示手段近傍で、前記携帯端末を操作して、前記情報処理装置に対して、前記所定の情報を要求すると共に、前記位置検出手段の検出した携帯端末の位置情報を、前記情報処理装置に送信し、
前記情報処理装置は、受信した携帯端末の位置情報をもとに、前記情報処理装置で記憶している位置情報と前記表示手段の関連を照合して前記表示手段を特定し、前記表示手段に関する情報を、前記携帯端末に送出する
ことを特徴とする情報受発信システム。
【請求項３】
請求項２記載の情報受発信システムにおいて、前記位置情報によって前記表示手段に表示された情報が得られることを示す意匠または標章を前記表示手段に記載することを特徴とする情報受発信システム。
【請求項４】
任意の場所あるいは移動体に設置され、設置された場所の画像情報を取得する撮像手段を有し、公衆通信網と無線通信可能な画像発信無線装置と、前記公衆通信網と無線接続可能な携帯端末と、前記公衆通信網に接続され、前記画像発信無線装置、及び前記携帯端末と通信可能な情報処理装置を備え、
前記情報処理装置は前記画像発信無線装置から送信された、前記撮像手段を識別可能な識別ＩＤと、前記画像情報を関連付けて記憶し、
前記携帯端末から前記情報処理装置に対して、所定の画像情報を要求すると、前記情報処理装置は、前記所定の場所または前記移動体の前記画像情報を、前記携帯端末に送出する、
ことを特徴とする情報受発信システム。
【請求項５】
任意の場所あるいは移動体に設置され、設置された場所の画像情報を取得する撮像手段と、前記画像情報を処理する画像処理手段を有する、公衆通信網と無線通信可能な画像発信無線装置と、前記公衆通信網と無線接続可能な携帯端末と、前記公衆通信網に接続され、前記画像発信無線装置、及び前記携帯端末と通信可能な情報処理装置とを備え、
前記情報処理装置は、前記画像発信無線装置から送信された前記撮像手段を識別可能な識別ＩＤと、前記撮像手段で取得した画像情報から混雑情報を得て、前記識別信号と前記混雑情報を関連付けて記憶し、
前記携帯端末から前記情報処理装置に対して、所定の場所の混雑情報を要求すると、前記情報処理装置は、所定の場所の前記混雑情報を、前記携帯端末に送出する、
ことを特徴とする情報受発信システム。
【請求項６】
移動体に設置され、設置された移動体の位置情報を取得する位置検出手段を有し、公衆通信網と無線通信可能な位置情報発信無線装置と、前記公衆通信網と無線接続可能な携帯端末と、前記公衆通信網に接続され、前記位置情報発信無線装置、及び前記携帯端末と通信可能であり、前記移動体の移動経路及び停留所情報を記憶している情報処理装置とを備え、
前記情報処理装置は前記位置情報発信無線装置から送信された前記位置検出手段を識別することができる識別ＩＤと、位置情報を関連付けて記憶し、
前記携帯端末から、前記情報処理装置に対して、所定の停留所への到着時間を要求すると、前記情報処理装置は、前記移動体の移動経路図と、前記移動体の停留場情報と、前記位置情報とから、前記停留所までの所用時間を算出して、前記携帯端末に送信する、
ことを特徴とする情報受発信システム。
【請求項７】
移動体に設置され、設置された移動体の位置情報を取得する位置検出手段を有し、公衆通信網と無線通信可能な位置情報発信無線装置と、前記公衆通信網と無線接続可能な携帯端末と、前記携帯端末に内蔵、または接続されている位置検出手段と、前記公衆通信網に接続され、前記位置情報発信無線装置、及び前記携帯端末と通信可能であり、前記移動体の移動経路図及び停留所情報を記憶している情報処理装置とを備え、
前記情報処理装置は、前記位置情報発信無線装置から送出された前記位置検出手段を識別可能な識別ＩＤと位置情報とを関連付けて記憶し、
前記携帯端末が、前記情報処理装置に対して、所定の停留所への到着時間を要求する時間情報要求信号と前記位置検出手段の検出した携帯端末の位置情報を送信すると、前記情報処理装置は、受信した携帯端末の位置情報をもとに、前記情報処理装置で記憶している前記移動体の停留場情報から最寄りの停留所を検索し、前記移動体の移動経路図と、前記移動体の停留場情報と、前記移動体の位置情報とから、前記最寄りの停留所までの所用時間を算出して、前記携帯端末に送信することを特徴とする情報受発信システム。
【請求項８】
請求項４または５記載の情報受発信システムにおいて、
構内無線通信手段及び前記公衆通信網との通信手段を有しており、駅構内に設置されている、駅構内無線装置を設け、前記画像発信無線装置は前記駅構内無線装置と通信可能な構内無線通信手段を有し、前記携帯端末は前記駅構内無線装置と通信可能な構内無線通信手段を有し、前記情報処理装置は前記公衆通信網に接続して、前記駅構内無線装置と通信可能な通信手段を有しており、
駅構内の列車が発車する際あるいは発車して一定時間たった後、前記駅構内無線装置が、各車両に備え付けられた前記画像発信無線装置に対して、画像（あるいは混雑）情報を要求すると、前記画像発信無線装置は、前記駅構内無線装置に対して、前記撮像手段を識別可能な識別ＩＤと、画像情報を送出し、
前記駅構内無線装置は、前記識別信号と前記画像情報とを関連付けて記憶するとともに、前記情報処理装置に対して、前記撮像手段を識別可能な識別ＩＤと、画像情報を送出し、
前記情報処理装置は、前記駅構内無線装置と他の駅に設置された駅構内無線装置からの画像情報を、前記識別信号と前記画像情報とを関連付けて記憶するとともに、各駅に設置された前記駅構内無線装置に対して、前記記憶した画像情報を送出し、
前記携帯端末が前記情報処理装置あるいは前記駅構内無線装置に対して、所定の場所の画像情報を要求する画像情報要求信号を送出すると、前記情報処理装置あるいは前記駅構内無線装置は、所定の場所の前記画像情報を、前記携帯端末に送出する、
ことを特徴とする情報受発信システム。
【請求項９】
請求項１または２に記載の情報受発信システムにおいて、前記情報処理装置に広告に関する情報とその広告手段の位置情報を対応させて記憶し、前記携帯端末の所有者の近くに複数の前記広告手段が存在する場合、選択画面を前記携帯端末に送信することを特徴とする情報受発信システム。
【請求項１０】
請求項９に記載の情報受発信システムにおいて、前記情報処理装置は個人属性データを記憶しており、前記広告手段に属性データを割り付けて記憶し、複数の前記広告手段から前記個人属性データと関連のある前記広告手段に関する情報を選択し、前記携帯端末に送出することを特徴とする情報受発信システム。
【請求項１１】
請求項１、２、９または１０に記載の情報受発信システムにおいて、前記携帯端末は、公衆通信網と無線接続する無線手段とは別の第２の無線通信手段を有し、前記広告手段は、前記携帯端末の前記第２の無線通信手段と通信可能な無線通信手段を有することを特徴とする情報受発信システム。
【請求項１２】
請求項４または５に記載の情報受発信システムにおいて、前記携帯端末は、前記公衆通信網と無線接続する無線手段とは別の第２の無線通信手段を有し、前記画像発信装置は、前記携帯端末の前記第２の無線通信手段と通信可能な無線通信手段を有することを特徴とする情報受発信システム。
【請求項１３】
請求項８に記載の情報受発信システムにおいて、前記駅構内で列車待ちをしている人に見えるように設置された、表示装置を有し、前記駅構内無線装置は、前記情報処理装置から受信した画像（混雑）情報を前記表示装置に表示することを特徴とする情報受発信システム。
【請求項１４】
所定の対象物が設置された位置近傍の位置情報を送信する送信手段を設け、前記対象物近傍の位置情報を公衆通信網に接続されている情報処理装置に送信すると、前記情報処理装置から前記対象物の位置に応じた情報が送信されることを特徴とする携帯端末。
【請求項１５】
位置に応じた情報を記憶する記憶手段を設け、携帯端末から位置情報が送付された場合、前記位置に応じた情報を前記携帯端末に送信することを特徴とする情報処理装置。
【発明の詳細な説明】
【０００１】
【発明の属する技術分野】
この発明は、情報受発信システム、それに使用されるサービスセンタ及び携帯端末に係り、特に、任意の場所に設置された広告や展示物等の情報、あるいは時系列的に状況が変化する情報を携帯端末に提供する情報受発信技術に関する。
【０００２】
【従来の技術】利用者が特定の場所にいるとき、その場所に関係のある情報を取得する従来例としては特開２００１−７５９７７号公報がある。
この公報には、あらかじめ情報記憶手段に日常の各種個人的要求情報を記憶し、自己の現在の所在位置に応じて、その所在位置に関連のある個人的要求情報を報知する場所依存情報管理機能付端末装置について述べられている。
【０００３】
【発明が解決しようとする課題】
しかしながら、前記従来例においては、位置情報と関連付けられた情報を記憶する手段や、現在位置と情報を呼び出す位置とを判別する手段等が必要となり、携帯端末の構成が複雑となる問題がある。
また、情報をあらかじめ入力しておく必要があるため不便であり、また、個人情報以外の情報を取得することができないという問題がある。
更に、記憶される情報は自己の所在位置に関連する情報であり、しかも最初に記憶した情報しか取得できず、任意の場所で時々刻々と状況が変化する情報を取得できないという問題もある。
【０００４】
本発明の目的は、携帯端末の利用者が、自分の現在いる場所に関する情報を、位置情報を用いて取得することができる情報受発信技術を提供することにある。本発明の他の目的は、携帯端末の利用者が、現在地とは別の場所で時々刻々と状況が変化する情報を取得可能な情報受発信技術を提供することにある。
【０００５】
【課題を解決するための手段】
上記目的を達成するために、本発明では、公衆通信網と無線接続可能な携帯端末と、前記携帯端末に内蔵、または接続されている位置検出手段と、前記公衆通信網に接続して前記携帯端末と通信可能であり、広告に関する情報とその広告手段の位置情報を対応させて記憶している情報処理装置を備え、前記携帯端末の所有者は、前記広告手段に近づき、前記携帯端末を操作し、前記情報処理装置に対して、前記広告に関する情報を要求し、前記携帯端末は、前記位置検出手段の検出した携帯端末の位置情報を、前記情報処理装置に送信し、前記情報処理装置は、受信した携帯端末の位置情報をもとに、前記情報処理装置で記憶している位置情報と前記広告手段の関連を照合し、前記広告手段を特定し、前記広告手段に関する情報を、前記携帯端末に送出する。
【０００６】
また、他の発明では、任意の場所あるいは移動体に設置され、設置された場所の画像情報を取得する撮像手段を有し、公衆通信網と無線通信可能な画像発信無線装置と、公衆通信網と無線接続可能な携帯端末と、前記公衆通信網に接続され、前記画像発信無線装置、及び前記携帯端末と通信可能な情報処理装置を備え、前記画像発信無線装置は、前記情報処理装置に対して、前記撮像手段を識別可能な識別番号と、前記画像情報を送出し、前記情報処理装置は、前記識別信号と前記画像情報とを関連付けて記憶し、前記携帯端末の所有者は、前記携帯端末を操作し、前記情報処理装置に対して、所定の場所の画像情報を要求する画像情報要求信号を送出し、前記情報処理装置は、所定の場所の前記画像情報を、前記携帯端末に送出する。
【０００７】
更に他の発明では、移動体に設置され、設置された移動体の位置情報を取得する位置検出手段を有し、公衆通信網と無線通信可能な位置情報発信無線装置と、公衆通信網と無線接続可能な携帯端末と、前記公衆通信網に接続し、前記位置情報発信無線装置、及び前記携帯端末と通信可能な情報処理装置を設け、前記情報処理装置は、前記移動体の移動経路図を記憶し、前記移動体の停留所情報を記憶しており、前記位置情報発信無線装置は、前記情報処理装置に対して、前記位置検出手段を識別可能な識別番号と、位置情報を送出し、前記情報処理装置は、前記識別信号と前記位置情報とを関連付けて記憶し、前記携帯端末の所有者は、前記携帯端末を操作し、前記情報処理装置に対して、所定の停留所への到着時間を要求する時間情報要求信号を送出し、前記情報処理装置は、前記移動体の移動経路図と、前記移動体の停留場情報と、前記位置情報とから、前記停留所までの所用時間を算出して、前記携帯端末に送信する。
【０００８】
【発明の実施の形態】
以下、本発明の実施の形態について、幾つかの実施例を用い、図を参照して説明する。
図１は本発明による情報受発信システムの第１の実施例を示す構成図である。図１において、１０は情報受発信システムを利用する人が所持する携帯電話機、ＰＤＡ、モバイル等の携帯端末、１１はＧＰＳ受信機、１２は携帯端末１０の所有者が興味を示した対象物（ここでは、任意の場所に設置された広告看板とする。）、１３は後述する情報発信サービスの運営者が情報管理をしていることを示すロゴ、３０は情報発信サービスの運営者の設置したホストコンピュータ、３１は広告看板１２の詳細情報を提供するコンテンツサーバ、４０は公衆通信網、４１は携帯端末基地局、４２はＧＰＳ衛星である。
【０００９】
図２は本発明による情報受発信システム内で送受信される信号の第１の実施例を示すシーケンス図である。
以下に、図１及び図２を用いて、本実施例による情報受発信システムの処理動作について説明する。ＧＰＳ受信機１１を内蔵、または接続している携帯端末１０の所有者は、任意の場所に設置されたロゴ１３付き広告看板１２を見て、広告の商品を購入したいと思ったとき、広告看板１２の位置情報を特定するために、広告看板１２の近傍に近づき、携帯端末１０を用い、情報発信サービスの運営者へアクセスし（具体的には、ホームページを閲覧する）、商品に関する詳細情報を要求する。
このとき、図２のように、携帯端末１０はＩＰアドレス６０と広告情報要求６１を、ホストコンピュータ３０に送信する。
【００１０】
図３はホストコンピュータ３０が記憶している顧客一覧表を示すテーブルである。
ホストコンピュータ３０は、図３に示したような、顧客一覧表３００を記憶しており、ＩＰアドレス６０より、情報発信サービスの顧客であるか、否かを判断する。
顧客であった場合、図２に示すように、ホストコンピュータ３０は携帯端末１０へ、位置情報要求６２を送信する。（図示していないが、顧客でない場合には、情報発信サービスへの登録案内を送信する。）
携帯端末１０は、位置情報要求６２を受信すると、ＧＰＳ受信機１２を起動し、位置情報６３を得て（この例では、緯度、経度、高度とする）、ホストコンピュータ３０に送信する。
顧客一覧表３００には、ＩＰアドレス６０、位置情報６３以外に情報発信サービスに登録している顧客の氏名６９、顧客の趣味や好みを示す個人属性７０が記憶されている。
【００１１】
図４はホストコンピュータ３０が記憶している広告一覧表を示すテーブルである。
ホストコンピュータ３０は、図４に示したような、広告一覧表４００を記憶しており、情報発信サービスに登録している広告看板の、広告位置情報７５（実際には、広告看板の位置（一例としてＸ１，Ｙ１，Ｚ１とする。）から任意のサービス範囲（Ｘ１±α，Ｙ１±β，Ｚ１±γ）でα、β、γを決めることも可能である。）と広告に載っている商品の詳細情報、購入方法を見ることができるコンテンツサーバ−３１のＵＲＬ（Ｕｎｉｆｏｒｍ　Ｒｅｓｏｕｒｃｅ　Ｌｏｃａｔｏｒ）６４を記憶している。（ここで、コンテンツサーバは一台しか図示していないが、実際は複数台用意されるものである。）
広告一覧表４００には、広告位置情報７５、ＵＲＬ６４以外に情報発信サービスに登録している広告看板名７３、その広告看板を識別する広告ＩＤ７１、広告看板１２が扱う商品の属性を示す広告属性７８、情報発信サービスを通じて商品の販売を行ったときに更新される販売実績７７が記憶されている。
【００１２】
ホストコンピュータ３０は、受信した位置情報６３がサービスを提供している広告看板１２の広告位置情報７５に含まれるものを、広告一覧表４００から検索する。
検索の結果、該当する広告看板１２が見つかった場合には、問合せ先としてＵＲＬ６４を携帯端末１０に送信する。このとき、図示していないが、複数の該当広告看板が見つかった場合には、携帯端末１０に選択メニューを送信し、複数の広告看板から一つの広告看板の選択を促したり、顧客一覧表３００の個人属性７０と広告一覧表４００の広告属性７８を参照して、優先的に携帯端末１０の所有者の趣味や好みに合った商品を扱っているＵＲＬ６４を送信したりすることも考えられる。また、図示してはいないが、該当する広告看板１２が見つからなかった場合には、登録されていない旨を携帯端末１０に送信する。
【００１３】
携帯端末１０は、ＵＲＬ６４を受信すると、自動的あるいは携帯端末１０のボタン操作により受信したＵＲＬ（コンテンツサーバ３１のアドレス）に接続（具体的には、ホームページを閲覧する）する。この時、ＩＰアドレス６０をコンテンツサーバ３１に送信する。
コンテンツサーバ３１は、広告看板１２に関する商品ホームページ６６（内容の一例として詳細説明、商品のダウンロード価格、支払方法等）を携帯端末１０に送付し、携帯端末１０はこれを表示する。
【００１４】
携帯端末１０の所有者は、この商品ホームページ６６を見て、商品を気に入ったら、コンテンツサーバ３１へ、商品購入要求６７を送信する。
コンテンツサーバ３１は、携帯端末１０からの商品購入要求６７により、該当する広告看板１２のコンテンツを配信６８する。
このとき、コンテンツサーバ３１は、図示していないが顧客管理表３００と似たような顧客管理表を持っており，ＩＰアドレス６０により顧客管理データを作成したり、課金の処理をしたりすることも考えられる。
【００１５】
次に、本発明の第２の実施例について説明する。
図５は本発明による情報受発信システム内で送受信される信号の第２の実施例を示すシーケンス図である。第２の実施例は、第１の実施例と同じ構成であるが、相違点はホストコンピュータ３０がコンテンツサーバ３１の代わりにコンテンツを配信することである。
【００１６】
以下に、図１及び図５を用いて、本実施例の処理動作について説明する。
まず、広告看板１２の商品を扱っている会社が管理するコンテンツサーバ３１のデータをホストコンピュータ３０にも登録する。
このとき、図５のように、広告ＩＤ７１、コンテンツ登録７２をホストコンピュータに送信する。
ホストコンピュータ３０は、コンテンツサーバ３１からの広告ＩＤ７１、コンテンツ登録７２を受信して、図４の広告一覧表４００を更新する。このとき、コンテンツ登録は、ＵＲＬ６４が記憶されている領域を使用して記憶する場合や、新しく広告一覧表４００にコンテンツ登録領域を作って記憶する場合が考えられる。
【００１７】
図５のシーケンスにおいて、携帯端末１０がＩＰアドレス６０と広告情報要求６１をホストコンピュータ３０に送り、ホストコンピュータ３０から携帯端末１０に位置情報要求６２を送り、ホストコンピュータ３０が、携帯端末１０から位置情報６３を得るところまでは、図２に示す第１の実施例と同じである。
ホストコンピュータ３０は、受信した位置情報６３がサービスを提供している広告看板１２の広告位置情報７５の範囲に含まれるものを、広告一覧表４００から検索する。検索の結果、該当する広告看板１２が見つかった場合には、その商品ホームページ６６を携帯端末１０に送信する。図示してはいないが、該当する広告看板１２が見つからなかった場合には、登録されていない旨を携帯端末１０に送信する。
【００１８】
携帯端末１０は、広告看板１２に関する商品ホームページ６６を携帯端末１０に表示する。携帯端末１０の所有者は、この商品ホームページ６６を見て、商品が気に入ったら、ホストコンピュータ３０へ、商品購入要求６７を送信する。
ホストコンピュータ３０は、携帯端末１０からの商品購入要求６７により該当する広告看板１２のコンテンツを配信６８する。このとき、ホストコンピュータ３０は、コンテンツ配給元に代わり課金の処理をすることも考えられる。
【００１９】
図６は本発明による情報受発信システムの第３の実施例を示す構成図である。図６において、１０は情報受発信システムを利用する人が所持する携帯端末、１２は携帯端末１０の所有者が興味を示した対象物（ここでは、任意の場所に設置された広告看板とする。）、１３は後述する情報発信サービスの運営者が情報管理をしていることを示すロゴ、１４は携帯端末１０に接続された無線インターフェース、１５は広告看板に取り付けられた無線インターフェース、３０は情報発信サービスの運営者の設置したホストコンピュータ、３１は広告看板１２の詳細情報を提供するコンテンツサーバ、４０は公衆通信網、４１は携帯端末基地局である。
【００２０】
図７は本発明による情報受発信システム内で送受信される信号の第３の実施例を示すシーケンス図である。
以下に、図６及び図７を用いて、本実施例の処理動作について説明する。
無線インターフェース１５は、広告看板１２に取り付けられ、携帯端末１０に接続された無線インターフェース１４を介して、携帯端末１０と通信可能である。この無線通信方式の例は、例えば、（社）電波産業会の制定した標準規格ＡＲＩＢ−ＳＴＤ　Ｔ６６「第二世代小電力データ通信システム／ワイヤレスＬＡＮシステム標準規格１．０版Ｈ１１年１２月１４日」に記載されているような、いわゆる無線ＬＡＮシステムである。
この種の他の無線通信方式としては、ＩＥＥＥ８０２．１１ａ（Ｉｎｓｔｉｔｕｔｅ　ｏｆ　Ｅｌｅｃｔｒｉｃ　ａｎｄ　Ｅｌｅｃｔｒｏｎｉｃｓ　Ｅｎｇｉｎｅｅｒｓ）方式、ブルートゥース方式がある。
【００２１】
無線インターフェース１４を内蔵、または接続している携帯端末１０の所有者は、任意の場所に設置されたロゴ１３付き広告看板１２を見て、広告の商品を購入したいと思ったとき、広告看板１２に近づき、携帯端末１０を用い、無線インターフェース１５付き広告看板１２に位置情報を要求する。
【００２２】
このとき、図７に示すように、位置情報要求７４を、無線インターフェース１５に送信する。無線インターフェース１５は、広告看板１２の位置情報をあらかじめメモリ（図示せず）に記憶しており、携帯端末１０へ、位置情報７５を送信する。ここで、あらかじめ記憶する情報としては、位置情報以外に簡単な商品説明や問い合わせ先ＵＲＬ等が考えられる。また、無線インターフェース１５のメモリの更新は、商品の製造元や販売元、広告管理会社、情報サービスシステムの運営者等によって行なわれる。なお、携帯端末１０が、位置情報７５を取得した後、ホストコンピュータ３０からコンテンツ配信６８を得るところまでは、図５に示す第２の実施例と同じである。
【００２３】
ホストコンピュータ３０は、コンテンツ配信６８の際に、図４の広告一覧表４００の販売実績（売上げ）７７を更新する。販売実績７７の内容としては、問い合わせ件数等も記録しておくことが考えられる。コンテンツサーバ３１の管理者は、自社製品の売れ行きなどを知りたいと思ったとき、ホストコンピュータ３０に対して、販売実績７７の確認を要求する。このとき、図７のように、コンテンツサーバ３１は広告ＩＤ７１と販売実績確認７６を、ホストコンピュータ３０に送信する。ホストコンピュータ３０は、受信した広告ＩＤ７１から該当する商品の販売実績を広告一覧表４００から検索する。検索の結果、販売実績報告７７をコンテンツサーバ３１に送信する。
以上説明した第３の実施例では、ＧＰＳ受信機等で直接位置情報を取得することができない場所や、位置情報を取得する手段を持っていない携帯端末であっても、情報発信サービスを受けることができる。
【００２４】
図８は本発明による情報受発信システムの第４の実施例を示す構成図である。図８において、１０は情報受発信システムを利用する人が所持する携帯端末、２０は対象場所（一例として、列車（図示せず）内の各車両に設置されるものとする。）を撮影するカメラ（複数の場合もある。）、２１は撮影した画像データの情報を圧縮する画像処理部、２２は公衆通信網と無線接続可能な画像発信無線装置、３０は情報発信サービスの運営者（鉄道会社の運行管理部門であっても良い。）の設置したホストコンピュータ、４１、４３は携帯端末基地局である。
図９は本発明による情報受発信システム内で送受信される信号の第４の実施例を示すシーケンス図である。
図１０はホストコンピュータ３０が記憶している列車情報一覧表を示すテーブルである。
【００２５】
以下、図８、図９及び図１０を用いて、本実施例の処理動作について説明する。まず、ホストコンピュータ３０は、運行中の列車の混雑状況に関する列車情報一覧表６００を記憶している。その列車情報一覧表６００は、列車の各車両ごとの混雑情報（各車両の画像データ、空席有無、混雑度を大、中、小など）８７を含んでいる。
ホストコンピュータ３０は、列車情報一覧表６００の列車ＩＤ８０から一定時間間隔で、運行中の列車（図示せず）に備え付けの画像発信無線装置２２に対し、画像情報要求８１を送信する。
【００２６】
以下、一例として列車ＩＤ８０が００５の列車の混雑情報を取得するときの動作について説明する。
画像発信無線装置２２は、画像情報要求８１を受信すると、各車両に備え付けられたカメラ２０からの画像情報を得る。そして、どの車両のカメラの撮影かを判別するためのカメラＩＤ８２（一例として、５−００５）と画像情報８３（一例として、５＿００５．ｊｐｇ）をホストコンピュータ３０に送信する。
ホストコンピュータ３０は、受信したカメラＩＤ８２と画像情報８３から空席判定や混雑状況を判別し列車情報一覧表６００を更新する。すなわち、列車情報一覧表６００のカメラＩＤ８２が５−００５の画像データ８３に５＿００５．ｊｐｇを記録し、空席判定や混雑情報の判別結果を混雑情報８７に記録する。ここでは、混雑情報は空席有となっているが、他の例としては大（かなりの混雑）、中（やや混雑）、小（混雑無）とすることもできる。
【００２７】
携帯端末１０の所有者は、列車を利用するときに携帯端末１０を用い、情報発信サービスの運営者へアクセスし（具体的には、ホームページを閲覧する）、列車の混雑情報を問い合わせる。このとき、図９のように、ＩＰアドレス６０と混雑情報要求８４を、ホストコンピュータ３０に送信する。ホストコンピュータ３０は、携帯端末１０の所有者がどの列車の混雑情報を知りたいかを判断するため、列車選択メニュー８５を送信する。
ここで、列車選択メニュー８５とは、現在運行中で混雑情報サービスを行っている列車を互いに識別するために割り当てられている列車ＩＤに関する情報である。一例として、携帯端末１０の表示画面に鉄道路線選択画面、駅名選択画面、発車時刻選択画面の順に表示することにより列車ＩＤ８０を特定することができる。列車情報一覧表６００の鉄道路線８６には鉄道路線選択画面、駅名選択画面、発車時刻選択画面を作成するためのデータが含まれている。
【００２８】
携帯端末１０の所有者は、列車選択メニュー８５を受信すると、自分が利用する列車の列車ＩＤ＝００５を選択する。このとき、図９のように、鉄道路線８６、列車ＩＤ８０をホストコンピュータ３０に送信する。ホストコンピュータ３０は、受信した鉄道路線８６、列車ＩＤ８０で指定された列車を、列車情報一覧表６００から検索する。すなわち、列車ＩＤ＝００５の列車に備え付けられた各カメラの混雑情報を読み出し、混雑情報データを作成する。また、ホストコンピュータ３０は、前もって列車の略図を記憶しておくことで、読み出した混雑レベルを対応する略図の各車両に書き込むことで混雑情報データを作成することもできる。
検索の結果、列車の混雑情報８７を携帯端末１０に送信する。これによって、携帯端末１０の所有者は、前もって比較的混雑の少ない車両へ移動することができる。
本実施例では、所定の列車における車両別の混雑情報８７、即ち、所定の列車における車両の位置に応じた混雑情報８７を得ることができる。
【００２９】
図１１は本発明による情報受発信システムの第５の実施例を示す構成図である。図１１において、１０は情報受発信システムを利用する人が所持する携帯端末、１４は携帯端末１０に接続された無線インターフェース、２０は対象場所（一例として、列車内の各車両に設置されるものとする。）を撮影するカメラ（複数の場合もある。）、２１は撮影した画像データの情報を圧縮する画像処理部、２４は画像処理部２１に接続された無線インターフェース、２５は無線インターフェース１４及び無線インターフェース２４と無線通信が可能であり、公衆通信網と接続が可能な（有線でも無線でも良い。）駅構内無線装置、２６は駅構内無線装置に接続された表示装置、３０は情報発信サービスの運営者（鉄道会社の運行管理部門であっても良い。）の設置したホストコンピュータ、４１は携帯端末基地局である。
図１２は本発明による情報受発信システム内で送受信される信号の第５の実施例を示すシーケンス図である。
【００３０】
以下、図１１及び図１２を用いて、本実施例の処理動作について説明する。無線インターフェース２４は、駅構内無線装置２５と通信可能であり、携帯端末１０に接続された無線インターフェース１４を介して、携帯端末１０とも通信可能である。この無線通信方式の例としては、第３の実施例でも述べたが、無線ＬＡＮシステム、ＩＥＥＥ８０２．１１ａ（Ｉｎｓｔｉｔｕｔｅ　ｏｆ　Ｅｌｅｃｔｒｉｃ　ａｎｄ　Ｅｌｅｃｔｒｏｎｉｃｓ　Ｅｎｇｉｎｅｅｒｓ）方式、ブルートゥース方式がある。
まず、ホストコンピュータ３０は、図１０に示すように、運行中の列車の混雑状況に関する列車情報一覧表６００を記憶している。その列車情報一覧表６００が、更新されると各駅に設置された駅構内無線装置２５に混雑情報８７を送信する。
【００３１】
駅構内無線装置２５は、ホストコンピュータ３０と同様の列車情報一覧表（図示せず）を記憶している。ホストコンピュータ３０から混雑情報８７を受信すると、駅構内無線装置２５が記憶している列車情報一覧表を更新する。このとき、駅利用者が駅構内無線装置２５を操作して、表示装置２６に混雑情報８７を表示することもできる。
また、図１２に示すように、駅構内無線装置２５は、列車ＩＤ要求８８を無線インターフェース２４に対して送信する。無線インターフェース２４は列車が駅に接近あるいは駅ホームに到着した時点で、駅構内無線装置２５に対して列車ＩＤ８０を送信する。ここで、無線インターフェース２４は列車内に複数存在するものなので、その中の特定の無線インターフェース２４だけが列車ＩＤ８０を送信すれば良い。駅構内無線装置２５は、駅構内無線装置２５が記憶している列車情報一覧表（図示せず）の列車ＩＤ８０を更新対象の列車ＩＤとして登録する。
【００３２】
次に、列車発車時刻に到達あるいは発車後の一定時間後に、駅構内無線装置２５は、画像情報要求８１を無線インターフェース２４に対して送信する。無線インターフェース２４は、カメラＩＤ８２、画像情報８３を駅構内無線装置２５に送信する。ここで、駅構内無線装置２５の画像情報要求８１に対してカメラＩＤ８２、画像情報８３を送信しているが、列車発車時刻に到達あるいは発車後の一定時間後に、無線インターフェース２４が、自動的に駅構内無線装置２５に対してカメラＩＤ８２、画像情報８３を送信する方法もある。
【００３３】
駅構内無線装置２５は、受信したカメラＩＤ８２、画像情報８３から空席判定や混雑状況を判別し、駅構内無線装置２５が記憶している列車情報一覧表で先程更新対象とした列車ＩＤの混雑情報を更新する。ホストコンピュータ３０は各駅構内無線装置からの混雑情報８７を入手してホストコンピュータ３０の混雑情報を更新すると共に各駅構内無線装置に対して更新用の混雑情報を送信する。駅構内無線装置２５はホストコンピュータ３０から混雑情報８７を受信すると、駅構内無線装置２５が記憶している列車情報一覧表を更新する。
このため、図１２に示すように、駅構内無線装置２５は、列車ＩＤ８０、カメラＩＤ８２、画像情報８３、混雑情報８７をホストコンピュータ３０に送信する。ホストコンピュータ３０は、受信した列車ＩＤ８０、カメラＩＤ８２、画像情報８３、混雑情報８７で列車情報一覧表６００を更新する。
【００３４】
携帯端末１０の所有者は、第４の実施例では列車を利用するときに携帯端末１０を用い、情報発信サービスの運営者へアクセスし（具体的には、ホームページを閲覧する）、列車の混雑情報を問い合わせたが、ここでは、携帯端末１０に接続された無線インターフェースを使用し、駅構内無線装置２５から混雑情報を得ることができる。
【００３５】
この場合、図１２に示すように、混雑情報要求８４を、駅構内無線装置２５に送信する。駅構内無線装置２５は、携帯端末１０の所有者がどの列車の混雑情報を知りたいかを判断するため、列車選択メニュー８５を送信する。携帯端末１０の所有者は、列車選択メニュー８５を受信すると、自分が利用する列車を選択し、鉄道路線８６、列車ＩＤ８０を駅構内無線装置２５に送信する。
駅構内無線装置２５は、受信した鉄道路線８６、列車ＩＤ８０で指定された列車を、列車情報一覧表６００から検索する。検索の結果、列車の混雑情報８７を携帯端末１０に送信する。
【００３６】
上記の説明では、駅の構内では無線インターフェース２４と駅構内無線装置２５の間、無線インターフェース１４と駅構内無線装置２５の間の通信について記述しているが、当然、無線インターフェース１４と無線インターフェース２４も可能である。この場合は、画像情報８３を携帯端末１０に表示することも考えられるが、画像処理部２１に空席判定や混雑状況の判別機能を持たせ、混雑情報８４を携帯端末１０に表示することも考えられる。
以上説明した第５の実施例では、各駅から列車が発車後に混雑情報のデータ更新が行われるので混雑情報の精度が上がる。また、無線インターフェース１４を接続したＰＤＡ、ノートパソコン等でも、混雑情報を確認できる。
【００３７】
図１３は本発明による情報受発信システムの第６の実施例を示す構成図である。図１３において、１０は情報受発信システムを利用する人が所持する携帯端末、２７は路線バス、２８は路線バスに備え付けのＧＰＳ受信機、２９は公衆通信網と無線接続可能な位置情報発信無線装置、３０は情報発信サービスの運営者（バス会社の運行管理部門であっても良い。）の設置したホストコンピュータ、４１、４３は携帯端末基地局、４２はＧＰＳ衛星である。
【００３８】
図１４は本発明による情報受発信システム内で送受信される信号の第６の実施例を示すシーケンス図である。
図１５はホストコンピュータ３０が記憶しているバス情報一覧表を示すテーブルである。
以下、図１３、図１４及び図１５を用いて、本実施例の処理動作について説明する。まず、ホストコンピュータ３０は、路線バス２７の経路に関する地図情報を記憶している。その地図情報は、各バス停留所の位置情報（具体的には、緯度、経度）を含んでいる。ホストコンピュータ３０は、一定時間間隔で、路線バス２７に備え付けられている位置情報発信無線装置２９に対し、バス位置情報要求９１を送信する。位置情報発信無線装置２９は、バス位置情報要求９１を受信すると、ＧＰＳ受信機２８を起動し、位置情報（この例では、緯度、経度とする）を得る。そして、バス位置情報９２をホストコンピュータ３０に送信する。
ホストコンピュータ３０は、図１５に示したような、バス情報一覧表７００を記憶しており、路線バス２７の路線、運行時間等を表すバス路線９７、バスＩＤ９０、バスの現在位置９２、停車するバス停留所名９５、バス停留所の位置（緯度、経度、高度）を表すバス停留所位置９８、所要時間９６が登録されている。ここで、所要時間９６は、バス位置情報９２とバス停留所位置９８を、地図情報に照らし合わせ、路線バス２７の位置からバス停留所までの走行距離を計算し、その距離を、路線バス２７の運行速度（例えば４０ｋｍ／ｈ）で割り、所要時間を計算し、更新される。
【００３９】
携帯端末１０の所有者は、路線バスを利用する時に携帯端末１０を用い、情報発信サービスの運営者へアクセスし（具体的には、ホームページを閲覧する）、バス停留所への到着時間を問い合わせる。この場合、図１４に示すように、ＩＰアドレス６０とバス情報要求９３を、ホストコンピュータ３０に送信する。ホストコンピュータ３０は、バス選択メニュー９４（複数の路線バスが運行している場合には、バス会社名、路線系統などが選択可能である。）を携帯端末１０に送信する。
携帯端末１０の所有者は、バス選択メニュー９４を受信すると、自分の利用するバスとバス停留所を選択する。この場合、図１２のように、バスＩＤ９０、バス停留所名９５をホストコンピュータ３０に送信する。ホストコンピュータ３０は、受信したバスＩＤ９０、バス停留所名９５で指定されたバスが指定されたバス停留所に到着するまでの所用時間９６を携帯端末１０に送信する。
【００４０】
図１６は本発明による情報受発信システムの第７の実施例を示す構成図である。図１６において、１０は情報受発信システムを利用する人が所持する携帯端末、１１はＧＰＳ受信機、２７は路線バス、２８は路線バスに備え付けのＧＰＳ受信機、２９は公衆通信網と無線接続可能な位置情報発信無線装置、３０は情報発信サービスの運営者（バス会社の運行管理部門であっても良い。）の設置したホストコンピュータ、４１、４３は携帯端末基地局、４２はＧＰＳ衛星である。
図１７は本発明による情報受発信システム内で送受信される信号の第７の実施例を示すシーケンス図である。
【００４１】
以下、図１６及び図１７を用いて、本実施例の処理動作について説明する。ホストコンピュータ３０が、路線バス２７からバス位置情報９２を得て、バス情報一覧表７００を更新するところまでは、第６の実施例と同じである。
携帯端末１０の所有者は、路線バスを利用する時に携帯端末１０を用い、情報発信サービスの運営者へアクセスし（具体的には、ホームページを閲覧する）、バス停留所への到着時間を問い合わせる。この場合、図１４に示すＩＰアドレス６０とバス情報要求９３を、ホストコンピュータ３０に送信する。
【００４２】
ホストコンピュータ３０は、携帯端末１０へ位置情報要求６２を送信する。携帯端末１０は、位置情報要求６２を受信すると、ＧＰＳ受信機１２を起動し、位置情報６３を得て（この例では、緯度、経度とする）、ホストコンピュータ３０に送信する。ホストコンピュータ３０は、受信した位置情報６３をバス情報一覧表７００のバス停留所位置９８と比較して路線バスと最寄りのバス停留所を絞込み、バス選択メニュー９４を作成し、このバス選択メニュー９４を携帯端末１０に送信する。
【００４３】
携帯端末１０の所有者は、バス選択メニュー９４を受信すると、自分の利用するバスとバス停留所を選択する。この場合、図１７に示すように、バスＩＤ９０、バス停留所名９５をホストコンピュータ３０に送信する。ホストコンピュータ３０は、受信したバスＩＤ９０、バス停留所名９５で指定されたバスが指定されたバス停留所に到着するまでの所用時間９６を携帯端末１０に送信する。
【００４４】
以上説明した第７の実施例では、携帯端末１０の位置情報から選択メニュー画面の絞込みを行うため、利用者の使い勝手が向上する。
また、ＩＰアドレス６０登録時に、利用頻度の高いバス、バス停留所を個人データとして作成し、サービス利用時に優先的にこのデータを送信することで、利用者の使い勝手が向上することも考えられる。
本実施例では、個人所有の携帯端末への情報発信について述べているが、バス停留所などに固定端末機を設置して、携帯端末を所有しないバス利用者についてもサービスを行うことも可能である。
【００４５】
【発明の効果】
以上述べたように、本発明によれば、利用者の携帯端末に位置情報と関連付けられた情報を記憶する手段や、現在地と情報を呼び出す位置とを判別する手段等が必要なく、また、情報をあらかじめ入力しておく必要がないため、安価に構成することができる。また、任意の場所で時々刻々と状況が変化する情報を取得することができる。
【図面の簡単な説明】
【図１】本発明による情報受発信システムの第１の実施例を示す構成図である。
【図２】本発明による情報受発信システム内で送受信される信号の第１の実施例を示すシーケンス図である。
【図３】ホストコンピュータが記憶している顧客一覧表を示すテーブルである。
【図４】ホストコンピュータが記憶している広告一覧表を示すテーブルである。
【図５】本発明による情報受発信システム内で送受信される信号の第２の実施例を示すシーケンス図である。
【図６】本発明による情報受発信システムの第３の実施例を示す構成図である。
【図７】本発明による情報受発信システム内で送受信される信号の第３の実施例を示すシーケンス図である。
【図８】本発明による情報受発信システムの第４の実施例を示す構成図である。
【図９】本発明による情報受発信システム内で送受信される信号の第４の実施例を示すシーケンス図である。
【図１０】ホストコンピュータが記憶している列車情報一覧表を示すテーブルである。
【図１１】本発明による情報受発信システムの第５の実施例を示す構成図である。
【図１２】本発明による情報受発信システム内で送受信される信号の第５の実施例を示すシーケンス図である。
【図１３】本発明による情報受発信システムの第６の実施例を示す構成図である。
【図１４】本発明による情報受発信システム内で送受信される信号の第６の実施例を示すシーケンス図である。
【図１５】ホストコンピュータが記憶しているバス情報一覧表を示すテーブルである。
【図１６】本発明による情報受発信システムの第７の実施例を示す構成図である。
【図１７】本発明による情報受発信システム内で送受信される信号の第７の実施例を示すシーケンス図である。
【符号の説明】
１０…携帯端末、１１、２８…ＧＰＳ受信機、１２…広告や展示物等、１３…ロゴ、１４、１５、２４…無線インターフェース、２０…カメラ、２１…画像処理部、２２…画像発信無線装置、２７…路線バス、２９…位置情報発信無線装置、３０…ホストコンピュータ、３１…コンテンツサーバ、４０…公衆通信網、４１、４３…携帯端末基地局、４２…ＧＰＳ衛星、３００…顧客一覧表、４００…広告一覧表、６００…列車情報一覧表、７００…バス情報一覧表。
【図１】
2004032037.tif 000003
【図２】
2004032037.tif 000004
【図３】
2004032037.tif 000005
【図４】
2004032037.tif 000006
【図５】
2004032037.tif 000007
【図６】
2004032037.tif 000008
【図７】
2004032037.tif 000009
【図８】
2004032037.tif 000010
【図９】
2004032037.tif 000011
【図１０】
2004032037.tif 000012
【図１１】
2004032037.tif 000013
【図１２】
2004032037.tif 000014
【図１３】
2004032037.tif 000015
【図１４】
2004032037.tif 000016
【図１５】
2004032037.tif 000017
【図１６】
2004032037.tif 000018
【図１７】
2004032037.tif 000019